(57)【要約】【課題】カセッテ装填部を極めて簡易に構成して装置内への異物の侵入を阻止することができるとともに、カセッテ装填部の閉塞時におけるノイズの発生を抑制する。【解決手段】小サイズのカセッテ１８ａの端部でカバー部材２０ａを押し上げ、カセッテ装填部１４の装填口１５ａにカセッテ１８ａを装填する。このとき、カバー部材２０ｂ及び第１シャッタ２５ｂは、装填口１５ｂの閉塞状態を維持しているため、装填口１５ｂを介して放射線画像読取装置１０の内部に塵埃等が侵入することがない。一方、カセッテ１８ａ、１８ｂをカセッテ装填部１４から抜き取ると、カバー部材２０ａ、２０ｂが自重によってカバー部材１９側に迅速に変位した後、ダンパによって変位速度が減速され、ノイズを発生させることなく装填口１５ａ、１５ｂが閉塞される。【選択図】図１
2006091126.tif 000002
【特許請求の範囲】
【請求項１】
上部に配設され、放射線画像情報が蓄積記録された蓄積性蛍光体シートを収納したカセッテが装填されるカセッテ装填部と、前記カセッテから取り出された前記蓄積性蛍光体シートを搬送する搬送機構と、前記搬送機構により副方向に搬送される前記蓄積性蛍光体シートの主方向に励起光を照射する励起手段と、前記励起光によって励起された放射線画像情報に係る輝尽発光光を受光して読み取る読取手段とを備える放射線画像読取装置において、
前記カセッテ装填部は、
幅員の異なる複数種類の前記カセッテが挿入可能な挿入口を有し、一方向に傾斜する傾斜壁部と、
前記傾斜壁部の傾斜方向に沿って変位自在に構成され、第１サイズの幅員からなる前記カセッテに対応する幅員を有し、前記挿入口を前記第１サイズの前記カセッテに対応して開閉する第１蓋部材と、
前記傾斜壁部の傾斜方向に沿って変位自在に構成され、前記第１蓋部材の幅員に加算されることで前記第１サイズよりも幅員の大きな第２サイズの前記カセッテに対応する幅員を形成し、前記第１蓋部材とともに変位することで前記挿入口を前記第２サイズの前記カセッテに対応して開閉する第２蓋部材と、
前記第１蓋部材及び前記第２蓋部材に配設され、前記第１蓋部材及び前記第２蓋部材の下方向に対する変位速度を、前記挿入口の閉塞直前において減速させる減速機構と、
を備えることを特徴とする放射線画像読取装置。
【請求項２】
請求項１記載の装置において、
前記減速機構は、前記第１蓋部材及び前記第２蓋部材の閉塞位置近傍に配設され、前記第１蓋部材及び前記第２蓋部材が当接することで変位するダンパからなることを特徴とする放射線画像読取装置。
【請求項３】
請求項１記載の装置において、
前記傾斜壁部に形成される前記挿入口には、当該装置内部への異物の侵入を阻止する開閉自在な第１シャッタが配設され、
当該装置内部の前記第１シャッタと前記搬送機構との間には、前記搬送機構への異物の侵入を阻止する偏位自在な第２シャッタが配設され、
前記第２シャッタは、前記カセッテの前記挿入口に対する装填時において前記搬送機構側に偏位して配設され、前記搬送機構への異物の侵入を阻止することを特徴とする放射線画像読取装置。
【発明の詳細な説明】
【技術分野】
【０００１】
本発明は、蓄積性蛍光体シートを収納する幅員の異なる複数種類のカセッテを装填可能であり、前記蓄積性蛍光体シートに蓄積記録された放射線画像情報を読み取る放射線画像読取装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体シートを用いた放射線画像読取装置が知られている。
【０００３】
例えば、特許文献１〜３に開示された放射線画像読取装置は、人体等の被写体の放射線画像情報が蓄積記録された蓄積性蛍光体シートを収納したカセッテが装填されるカセッテ装填部と、蓄積性蛍光体シートに励起光を照射して放射線画像情報を読み取る読取部と、放射線画像情報の読み取られた蓄積性蛍光体シートに消去光を照射して残存する放射線画像情報を消去する消去部とを備えて構成される。なお、消去処理の完了した蓄積性蛍光体シートは、カセッテに収納されて外部に排出され、再利用に供せられる。
【０００４】
これらの放射線画像読取装置では、装置の小型化を達成するため、上部に配設したカセッテ装填部に装填されたカセッテから蓄積性蛍光体シートを下方向に取り出し、湾曲する搬送路を介して読取部に供給して読取処理を行った後、上方向に搬送し、消去部を介して再びカセッテに収納するように構成している。
【０００５】
この場合、カセッテをカセッテ装填部に装填する際、上部のカセッテ装填部から装置内部に塵埃等が侵入するおそれがある。そこで、これらの装置では、カセッテ装填部に蓋部材を配設し、カセッテが装填されるときにのみ蓋部材が開成されるように構成し、あるいは、蓋部材が開成される際、蓋部材上の塵埃を蓋部材の傾斜を利用して収容部に導入するように構成している。
【０００６】
【特許文献１】特開２００１―２８１７７４号公報
【特許文献２】特開２００４―１０２０４５号公報
【特許文献３】特開２００４―１０９２５２号公報
【発明の開示】
【発明が解決しようとする課題】
【０００７】
ところで、放射線画像読取装置に装填されるカセッテのサイズが１種類であり、カセッテの幅員とカセッテ装填部の幅員とが一致している場合、カセッテ装填部がカセッテによって閉塞された状態となるため、装置内に塵埃が侵入するおそれは殆どない。しかしながら、幅員の異なる複数種類のカセッテを装填可能な放射線画像読取装置では、カセッテ装填部の幅員よりも小さい幅員からなるカセッテを装填しようとすると、カセッテとカセッテ装填部との間に隙間が形成され、その隙間から塵埃が装置内に侵入してしまうおそれがある。
【０００８】
本発明は、前記の課題に鑑みなされたもので、カセッテ装填部を極めて簡易に構成して装置内への異物の侵入を阻止することができるとともに、カセッテ装填部の閉塞時におけるノイズの発生を抑制することのできる放射線画像読取装置を提供することを目的とする。
【課題を解決するための手段】
【０００９】
本発明の放射線画像読取装置では、装填されるカセッテの幅員に応じて第１蓋部材及び／又は第２蓋部材を変位させ、カセッテの幅員に応じた範囲だけ挿入口を開成させ、カセッテをカセッテ装填部に装填する。装填されたカセッテから取り出された蓄積性蛍光体シートは、搬送機構によって副方向に搬送され、励起手段からの励起光が主方向に照射され、得られた輝尽発光光は、読取手段により読み取られる。
【００１０】
放射線画像情報が読み取られた蓄積性蛍光体シートは、カセッテ装填部のカセッテに収納された後、カセッテが抜き取られる。このとき、第１蓋部材及び／又は第２蓋部材は、自重により傾斜壁部に沿って変位した後、挿入口が閉塞される直前において、減速機構により変位速度が減速され、ノイズを発生することのない状態で挿入口が閉塞される。なお、減速機構としては、第１蓋部材及び第２蓋部材が当接することで変位するダンパを用いることができる。
【００１１】
また、カセッテの挿入口に第１シャッタを配設し、カセッテが第１蓋部材及び／又は第２蓋部材を変位させて装填された際、第１蓋部材及び／又は第２蓋部材の間隙から異物が装置内に侵入する事態を回避し、さらに、第１シャッタがカセッテにより開成された際、第１シャッタと搬送機構との間に配設した第２シャッタにより、挿入口を介して装置内に侵入した異物を搬送機構に導くことなく排除する。
【発明の効果】
【００１２】
本発明の放射線画像読取装置では、カセッテ装填部における挿入口を、カセッテの幅員に応じて開成することができるため、装置内への異物の侵入を好適に阻止することができる。この場合、第１蓋部材及び第２蓋部材によって挿入口を分割して開閉する極めて簡易な構造によって前記の効果を実現することができる。また、傾斜壁部に沿って変位する第１蓋部材及び第２蓋部材の閉塞直前の部位に減速機構を配設することにより、閉塞時のノイズを抑制することができる。
【００１３】
さらに、挿入口に第１シャッタを配設するとともに、装置内部の第１シャッタと搬送機構との間に第２シャッタを配設することにより、第１シャッタを介して装置内に侵入した異物を第２シャッタにより搬送機構に導くことなく排除することができるため、異物による動作不良の発生を一層確実に回避することができる。
【発明を実施するための最良の形態】
【００１４】
図１は、本実施形態の放射線画像読取装置１０の外観図である。
【００１５】
放射線画像読取装置１０は、ケーシング１２の上部にカセッテ装填部１４を備え、このカセッテ装填部１４に形成された装填口１５ａ、１５ｂには、放射線画像情報が蓄積記録された蓄積性蛍光体シート１６を収容した幅員の異なるカセッテ１８ａ、１８ｂが装填可能である。なお、カセッテ１８ａは、カセッテ１８ｂよりも幅員が小さいものとする。
【００１６】
カセッテ装填部１４は、図２に示すように、ケーシング１２の上部に配設される傾斜壁部１７に固定されるカバー部材１９と、カバー部材１９に対して矢印方向（図１参照）に個別に変位自在なカバー部材２０ａ（第１蓋部材）、２０ｂ（第２蓋部材）とを有する。カバー部材１９には、カバー部材２０ａ、２０ｂに対応する部位に凹部１３ａ、１３ｂが形成される。また、カバー部材２０ａには、カバー部材１９の凹部１３ａに対応して凹部１１が形成される。これらの凹部１１、１３ａ、１３ｂは、例えば、幅員の小さいカセッテ１８ａを装填する際、作業員の指等がカバー部材１９、２０ａ、２０ｂに当たってしまう事態を回避する機能を備えるとともに、落下した異物を受け止める受け台としての機能を備える。なお、カバー部材２０ａ、２０ｂは、装填口１５ａ、１５ｂにおいて、カバー部材１９よりも上方向に突出して形成される。
【００１７】
傾斜壁部１７は、カバー部材１９側が下となるように傾斜しており、装填口１５ａ、１５ｂに対応する部位に挿入口２３が形成される。なお、挿入口２３には、図３及び図４に示すように、各カバー部材２０ａ、２０ｂの位置に対応して、図示しないスプリング等によって閉塞状態を保持する第１シャッタ２５ａ、２５ｂが配設される。
【００１８】
カバー部材２０ａが配設される傾斜壁部１７上には、ラック２７ａ、２７ｂが配設される。また、ラック２７ａ、２７ｂの側部には、ノブ２９ａ、２９ｂを有するダンパ３１ａ、３１ｂ（減速機構）が配設される。一方、カバー部材２０ａには、長手方向両側部にブラケット３３ａ、３３ｂを介してピニオン３５ａ、３５ｂが軸支される。また、ピニオン３５ａ、３５ｂの側部には、ブロック３７ａ、３７ｂが配設される。ピニオン３５ａ、３５ｂは、ラック２７ａ、２７ｂに噛合し、ブロック３７ａ、３７ｂは、カバー部材２０ａがカバー部材１９側に所定距離近接した位置でダンパ３１ａ、３１ｂのノブ２９ａ、２９ｂに当接する。
【００１９】
同様に、カバー部材２０ｂが配設される傾斜壁部１７上には、ラック４９と、ノブ５１を有するダンパ５３（減速機構）とが配設される。一方、カバー部材２０ｂには、ブラケット５５に軸支されるピニオン５７と、ブロック５９とが配設される。ピニオン５７は、ラック４９に噛合し、ブロック５９は、カバー部材２０ｂがカバー部材１９側に所定距離近接した位置でダンパ５３のノブ５１に当接する。
【００２０】
なお、ダンパ３１ａ、３１ｂ、５３は、ノブ２９ａ、２９ｂ、５１を介してブロック３７ａ、３７ｂ、５９の変位を減速させる油圧機構により構成することができる。また、ダンパ３１ａ、３１ｂ、５３に代えて、弾性部材等からなる可撓性部材を用い、この可撓性部材にブロック３７ａ、３７ｂ、５９を直接当接させるように構成することもできる。
【００２１】
カバー部材１９及び２０ａの側部に配設されるカバー部材６０には、電源ボタン２２、操作ボタン２４、表示部２６等が配設される。また、ケーシング１２の側部には、外気を吸入するためのメッシュ構造からなる吸入口６２が配設される。なお、吸入口６２には、放射線画像読取装置１０の内部への塵埃の侵入を阻止するため、フィルタを併設すると好適である。
【００２２】
図３及び図４において、放射線画像読取装置１０の内部には、カセッテ１８ａ、１８ｂの蓋部材２１のロックを解除するロック解除機構２８と、蓋部材２１が開蓋されたカセッテ１８ａ、１８ｂから蓄積性蛍光体シート１６を吸着して取り出す吸着盤３０と、吸着盤３０によって取り出された蓄積性蛍光体シート１６を挟持搬送するニップローラ３２とが配設される。なお、カセッテ装填部１４に近接し、ケーシング１２の側部に形成した吸入口６２に対応する部位には、外気を吸入するためのファン６４が配設される。
【００２３】
また、第１シャッタ２５ａ、２５ｂと、ニップローラ３２との間には、ニップローラ３２側への塵埃等の異物の侵入を阻止する第２シャッタ２５ｃが配設される。第２シャッタ２５ｃは、ニップローラ３２側を軸として偏位自在に構成されており、カセッテ装填部１４にカセッテ１８ａ、１８ｂが装填され、その蓋部材２１が開成されるまでの間は、図３に示すように、吸着盤３０側に偏位してニップローラ３２の入口を閉塞し、カセッテ１８ａ、１８ｂの蓋部材２１が開成された際に、図４に示すように、ロック解除機構２８側に偏位してニップローラ３２の入口を開成する。なお、第１シャッタ２５ａ、２５ｂと第２シャッタ２５ｃとの間には、ガイド板５８が配設される。
【００２４】
ニップローラ３２に連設して、複数の搬送ローラ３４ａ〜３４ｇ及び複数のガイド板３６ａ〜３６ｆが配設され、これらにより湾曲搬送路３８が構成される。すなわち、湾曲搬送路３８は、カセッテ装填部１４から下方向に延在した後、最下部において略水平状態となり、次いで、略鉛直上方向に延在する。これにより、放射線画像読取装置１０の小型化が達成される。
【００２５】
ニップローラ３２と搬送ローラ３４ａとの間には、読取処理が終了した蓄積性蛍光体シート１６に残存する放射線画像情報を消去するための消去ユニット３９が配設される。消去ユニット３９は、消去光を出力する冷陰極管等の消去光源４１を有する。
【００２６】
湾曲搬送路３８の最下部に配設される搬送ローラ３４ｄ、３４ｅ間には、プラテンローラ４３が配設される。そして、プラテンローラ４３の上部には、ハウジング４５に収容され、蓄積性蛍光体シート１６に蓄積記録された放射線画像情報を読み取る走査ユニット４７が配設される。
【００２７】
走査ユニット４７は、励起光であるレーザビームＬを導出して蓄積性蛍光体シート１６を走査する励起部４０（励起手段）と、レーザビームＬによって励起されて出力される放射線画像情報に係る輝尽発光光を読み取る読取部４２（読取手段）とを備える。
【００２８】
励起部４０は、レーザビームＬを出力するレーザ発振器４４と、レーザビームＬを蓄積性蛍光体シート１６の主走査方向に偏向する回転多面鏡であるポリゴンミラー４６と、レーザビームＬを反射させ、プラテンローラ４３上を通過する蓄積性蛍光体シート１６に導く反射ミラー４８とを備える。
【００２９】
読取部４２は、一端部がプラテンローラ４３上の蓄積性蛍光体シート１６に近接して配置される集光ガイド５０と、集光ガイド５０の他端部に連結され、蓄積性蛍光体シート１６から得られた輝尽発光光を電気信号に変換するフォトマルチプライヤ５２とを備える。なお、集光ガイド５０の一端部には、輝尽発光光の集光効率を高めるための集光ミラー５４が近接して配設される。
【００３０】
湾曲搬送路３８を構成して鉛直上方向に延在するガイド板３６ｆに近接する搬送ローラ３４ｇの上部には、防塵手段を構成するブラシ５６が配設される。ブラシ５６は、蓄積性蛍光体シート１６の搬送方向と直交する方向に延在して配設され、ハウジング４５側に固定され、先端部がガイド板３６ｆに摺接するように構成される。ブラシ５６は、多数の髭状繊維を植設してなる可撓性部材であり、帯電した蓄積性蛍光体シート１６の電荷を除電する導電性材料によって構成される。
【００３１】
本実施形態の放射線画像読取装置１０は、基本的には以上のように構成されるものであり、次にその動作について説明する。
【００３２】
放射線画像情報が蓄積記録された蓄積性蛍光体シート１６を収納したカセッテ１８ａ、１８ｂは、蓋部材２１を下としてカセッテ装填部１４の装填口１５ａ、１５ｂに装填される。この場合、幅員の小さいカセッテ１８ａは、装填口１５ａに装填され、幅員の大きいカセッテ１８ｂは、装填口１５ａ、１５ｂに装填される。
【００３３】
例えば、幅員の小さいカセッテ１８ａを装填する場合、カセッテ１８ａの端部により、カバー部材１９よりも上方向に突出するカバー部材２０ａを傾斜壁部１７に沿って押し上げることで装填口１５ａを拡開し、その端部を挿入口２３に挿入する。カセッテ１８ａの端部は、挿入口２３に配設された第１シャッタ２５ａを押し下げ、放射線画像読取装置１０の内部に挿入される。
【００３４】
このとき、カバー部材２０ａと分離独立して構成されているカバー部材２０ｂと、第１シャッタ２５ａから分割されている第１シャッタ２５ｂとが装填口１５ｂの閉塞状態を維持しているため、装填口１５ｂ側から塵埃等の異物が放射線画像読取装置１０の内部に侵入する事態を回避することができる。なお、装填口１５ａ側には、カセッテ１８ａが装填されているため、装填口１５ａ側から塵埃等が侵入するおそれもない。
【００３５】
一方、幅員の大きいカセッテ１８ｂを装填する場合、カセッテ１８ｂの端部により、カバー部材２０ａ、２０ｂを傾斜壁部１７に沿って押し上げることで装填口１５ａ、１５ｂを拡開し、その端部を挿入口２３に挿入して第１シャッタ２５ａ、２５ｂを押し下げ、放射線画像読取装置１０の内部に挿入する。この場合、装填口１５ａ、１５ｂにカセッテ１８ｂが装填されているため、放射線画像読取装置１０の内部に塵埃等の異物が侵入するおそれはない。
【００３６】
なお、カセッテ装填部１４に対してカセッテ１８ａ、１８ｂを装填するのに先立ち、ファン６４を駆動して放射線画像読取装置１０の内部に所定量の空気を導入させることにより、内部の気圧が外部の気圧よりも高く設定されるため、カセッテ１８ａ、１８ｂの装填に際して装填口１５ａ、１５ｂが開成された際、装填口１５ａ、１５ｂから内部の空気が流出し、これによって塵埃が内部に侵入する事態を好適に回避することができる。
【００３７】
また、カセッテ１８ａ、１８ｂの端部又は作業者によってカバー部材２０ａ、２０ｂが押し上げられた際に、間隙から異物が侵入したとしても、カセッテ１８ａ、１８ｂが装置内に挿入されない限り、挿入口２３に配設された第１シャッタ２５ａ、２５ｂが閉塞状態となっているため、異物の侵入を事前に回避することが可能である。この場合、作業者は、第１シャッタ２５ａ、２５ｂ上に落下した異物を除去した後、カセッテ１８ａ、１８ｂの装填作業を行えばよい。放射線画像読取装置１０にカセッテ１８ａ、１８ｂが所定の状態で装填されたとき、装置内のニップローラ３２の前段に配設された第２シャッタ２５ｃは、図３の状態に設定されており、ニップローラ３２の入口を閉塞状態としている。そのため、カセッテ１８ａ、１８ｂの端部が装置内に挿入されたとき、第１シャッタ２５ａ、２５ｂの上面に塵埃等の異物があったとしても、その異物は、ガイド板５８と第２シャッタ２５ｃとの間を通ってハウジング４５側に落下し、ニップローラ３２を含む搬送機構側に侵入することはない。
【００３８】
カセッテ１８ａ、１８ｂが挿入されてから一定時間が経過した後、すなわち、塵埃等の異物がガイド板５８及び第２シャッタ２５ｃを介してハウジング４５側に確実に落下したと想定される時間が経過した後、第２シャッタ２５ｃが図４に示す位置に偏位し、次いで、ニップローラ３２の入口が開成される。
【００３９】
そこで、ロック解除機構２８が駆動され、蓋部材２１のロック状態が解除されて開蓋される。次いで、吸着盤３０が蓄積性蛍光体シート１６を吸着し、カセッテ１８ａ、１８ｂから蓄積性蛍光体シート１６を取り出してニップローラ３２間に供給する。ニップローラ３２により挟持された蓄積性蛍光体シート１６は、搬送ローラ３４ａ〜３４ｇ及びガイド板３６ａ〜３６ｆからなる湾曲搬送路３８によって搬送される。
【００４０】
蓄積性蛍光体シート１６は、搬送ローラ３４ａ〜３４ｃによって下方向に搬送された後、最下部の搬送ローラ３４ｄ及び３４ｅにより略水平方向に副走査搬送される。
【００４１】
このとき、励起部４０を構成するレーザ発振器４４から出力されたレーザビームＬは、高速で回転するポリゴンミラー４６によって反射偏向された後、反射ミラー４８を介して下面部がプラテンローラ４３により支持された蓄積性蛍光体シート１６に導かれる。
【００４２】
蓄積性蛍光体シート１６は、レーザビームＬが照射されることで励起され、蓄積記録されている放射線画像情報に応じた輝尽発光光が出力される。この輝尽発光光は、蓄積性蛍光体シート１６の主走査方向に沿って近接配置された集光ガイド５０の下端部に直接入射し、あるいは、集光ミラー５４を介して入射する。集光ガイド５０に入射した輝尽発光光は、内部で反射を繰り返し、上端部のフォトマルチプライヤ５２に導かれる。フォトマルチプライヤ５２は、入射した輝尽発光光を電気信号としての放射線画像情報に変換し、図示しない通信手段を介して外部の画像処理装置に転送する。
【００４３】
一方、蓄積性蛍光体シート１６は、読取処理の完了した先端部側が鉛直上方向に延在するガイド板３６ｆに沿って上方向に搬送される。
【００４４】
このとき、ガイド板３６ｆには、導電性材料からなるブラシ５６の先端部が摺接しており、ガイド板３６ｆに沿った蓄積性蛍光体シート１６の搬送路を上下に分離している。また、蓄積性蛍光体シート１６の先端部がガイド板３６ｆに沿って上昇すると、ブラシ５６の先端部が蓄積性蛍光体シート１６の表面に摺接するため、ガイド板３６ｆに沿った搬送路の上下の分離状態がそのまま確保される。従って、蓄積性蛍光体シート１６の読取処理中にケーシング１２の上部から塵埃が落下したとしても、その塵埃は、ブラシ５６によって捕獲されるため、読取処理を行っているプラテンローラ４３の部位まで到達することがなく、塵埃による読取不良が発生することはない。
【００４５】
走査ユニット４７による放射線画像情報の読取処理が完了すると、蓄積性蛍光体シート１６は、湾曲搬送路３８により逆転搬送され、湾曲搬送路３８の最下部を介して上方向に搬送された後、消去ユニット３９を介してカセッテ装填部１４のカセッテ１８ａ、１８ｂに収納される。このとき、消去ユニット３９を構成する消去光源４１が点灯し、消去光源４１から出力される消去光が蓄積性蛍光体シート１６に照射されることで、残存する放射線エネルギの消去処理が行われる。
【００４６】
放射線エネルギが消去された蓄積性蛍光体シート１６を収納したカセッテ１８ａ、１８ｂは、カセッテ装填部１４から抜き取られた後、次なる放射線画像情報の撮影に供せられる。この場合、蓄積性蛍光体シート１６は、ガイド板３６ｆに沿って搬送される際、導電性材料からなるブラシ５６が摺接することで除電されているため、帯電していない良好な状態で供給することができる。
【００４７】
ここで、カセッテ１８ａ、１８ｂがカセッテ装填部１４から抜き取られると、第１シャッタ２５ａ、２５ｂによって挿入口２３が閉塞されて放射線画像読取装置１０の内部への塵埃の侵入が阻止され、次いで、カバー部材２０ａ、２０ｂが下方向に変位して装填口１５ａ、１５ｂが閉塞される。このとき、カバー部材２０ａ、２０ｂは、当初、自重によって下方向に速やかに変位する。次いで、カバー部材２０ａ、２０ｂに配設されたブロック３７ａ、３７ｂ、５９がノブ２９ａ、２９ｂ、５１に当接することにより、カバー部材２０ａ、２０ｂの移動速度が減速される（図４参照）。従って、カバー部材２０ａ、２０ｂは、ノイズを発生させることなく、カバー部材１９に当接して装填口１５ａ、１５ｂを閉塞する。
【図面の簡単な説明】
【００４８】
【図１】本実施形態の放射線画像読取装置の外観図である。
【図２】本実施形態の放射線画像読取装置におけるカセッテ装填部の分解構成斜視図である。
【図３】本実施形態の放射線画像読取装置のカセッテの蓋部材を閉塞した状態での内部構成図である。
【図４】本実施形態の放射線画像読取装置のカセッテの蓋部材を開成した状態での内部構成図である。
【図５】本実施形態の放射線画像読取装置において、カセッテを抜き取った際のカセッテ装填部の断面説明図である。
【符号の説明】
【００４９】
１０…放射線画像読取装置        １４…カセッテ装填部
１５ａ、１５ｂ…装填口          １６…蓄積性蛍光体シート
１８ａ、１８ｂ…カセッテ        １９、２０ａ、２０ｂ…カバー部材
２３…挿入口                    ２５ａ、２５ｂ…第１シャッタ
２５ｃ…第２シャッタ            ２７ａ、２７ｂ、４９…ラック
３１ａ、３１ｂ、５３…ダンパ    ３５ａ、３５ｂ、５７…ピニオン
３７ａ、３７ｂ、５９…ブロック  ３８…湾曲搬送路
３９…消去ユニット              ４０…励起部
４２…読取部                    ４７…走査ユニット
６４…ファン
【図１】
2006091126.tif 000003
【図２】
2006091126.tif 000004
【図３】
2006091126.tif 000005
【図４】
2006091126.tif 000006
【図５】
2006091126.tif 000007